(57)【要約】【課題】新しい画像形成装置を提供すること。【解決手段】  引出部３２は、第１用紙Ｐ１を搬送する際は、本体ケーシング２内である第４位置に位置している。引出部３２を移動させる場合は、スイッチ４４を押圧しつつ、引出部３２を前方に向かってスライド移動させる。これにより、引出部３２は、一部を本体部３１に装着しつつ、他部を本体部３１から離脱した状態となる。また、開口２０が開口される。このとき、前上板５０は、本体ケーシング２の外方であって、第４位置よりも前方に位置する第３位置に位置している。この状態において、第２用紙Ｐ２を開口２０を介して本体ケーシング２内に給紙する。これにより、第２用紙Ｐ２が搬送可能な状態となる。【選択図】図２
2014235290.tif 000002
【特許請求の範囲】
【請求項１】
第１開口を有する装置本体と、
第１方向に沿って延びる感光体を有するプロセスユニットと、
第１記録媒体を受けるように構成される第１受け部と、第１記録媒体とは異なる第２記録媒体を受けるように構成される第２受け部と、を備えたトレイであって、少なくとも一部が前記装置本体内に位置し、上下方向および前記第１方向と交差する第２方向に第１記録媒体を搬送可能な第１位置と、前記装置本体外の第２位置であって、前記第２方向の一方に位置する第２位置との間を移動するように構成されるトレイと、を備え、
前記第２受け部は、
前記トレイが前記第１位置に位置した状態において、第２記録媒体を前記第２方向に向かって搬送可能、かつ、前記第１開口よりも前記第１方向の一方に位置する第３位置と、前記第３位置よりも前記第１方向の他方に位置する第４位置との間を移動するように構成されることを特徴とする画像形成装置。
【請求項２】
前記第２受け部は、前記第３位置に位置したときに前記第１受け部に対して相対的に上方に位置することを特徴とする請求項１に記載の画像形成装置。
【請求項３】
前記第２受け部は、前記第３位置と前記第４位置との間を移動するときに、前記第２方向に沿ってスライド移動するように構成されることを特徴とする請求項１または２に記載の画像形成装置。
【請求項４】
前記第２受け部は、前記第３位置と前記第４位置との間を移動するときに、前記第１方向に延びる軸線を中心として、回転するように構成されることを特徴とする請求項１または２に記載の画像形成装置。
【請求項５】
前記第２受け部は、
前記第１方向に延びる第１支点と、
前記第１支点を中心として回動可能であり、前記第１支点から径方向に延びる板形状を有する板部と、を備えていることを特徴とする請求項４に記載の画像形成装置。
【請求項６】
前記板部は、
前記第２受け部が前記第３位置に位置した状態において、前記第２方向に沿って位置し、
前記第２受け部が前記第４位置に位置した状態において、前記上下方向に沿って位置することを特徴とする請求項５に記載の画像形成装置。
【請求項７】
前記装置本体は、前記第２方向の一方に位置する第１壁を備え、
前記第２受け部は、前記第３位置に位置した状態において、前記装置本体を前記上下方向に投影したときに、前記第１壁に対して前記第２方向の一方に位置することを特徴とする請求項１ないし６のいずれか一項に記載の画像形成装置。
【請求項８】
前記トレイは、前記第２受け部で受けた第２記録媒体を搬送するように構成された搬送ローラを備えることを特徴とする請求項１ないし７のいずれか一項に記載の画像形成装置。
【請求項９】
前記トレイは、前記第２受け部に対して前記第２方向に沿って他方に位置し、前記第２受け部から搬送された第２記録媒体を受けるように構成されている第３受け部をさらに備えることを特徴とする請求項１ないし８のいずれか一項に記載の画像形成装置。
【請求項１０】
前記第３受け部は、前記トレイに着脱するように構成されることを特徴とする請求項９に記載の画像形成装置。
【請求項１１】
前記第２受け部は、
前記トレイの前記第２方向の一方に配置され、前記第１方向に延びる第１支点と、
前記第１支点を中心として回動可能であり、前記第１支点から径方向に延びる板形状を有する第１板部と、を備え、
前記第３受け部は、
前記トレイの前記第２方向の他方に配置され、前記第１方向に延びる第２支点と、
前記第２支点を中心として回動可能であり、前記第２支点から径方向に延びる板形状を有する第２板部と、を備えることを特徴とする請求項９に記載の画像形成装置。
【請求項１２】
前記装置本体は、前記第２受け部が前記第４位置に位置する第１状態と、前記第２受け部が前記第３位置に位置する第２状態とに切換可能なスイッチをさらに備えることを特徴とする請求項１ないし１１のいずれか一項に記載の画像形成装置。
【請求項１３】
前記装置本体は、前記第２方向の一方に設けられた第２開口を有し、
前記プロセスユニットは、前記第２開口を介して前記装置本体内と前記装置本体外との間を移動するように構成されていることを特徴とする請求項１ないし１２のいずれか一項に記載の画像形成装置。
【請求項１４】
前記プロセスユニットは、
複数のカートリッジと、
前記装置本体に設けられた第２開口を介して前記装置本体内と前記装置本体外との間を移動可能な移動部材であって、前記移動部材が前記装置本体外のときに、前記複数のカートリッジを装着可能な移動部材と、を備えることを特徴とする請求項１３に記載の画像形成装置。
【請求項１５】
第１記録媒体および第２記録媒体に画像を転写するように構成される転写ユニットをｓらに備え、
前記転写ユニットは、
トナーを担持するように構成されるベルトと、
前記ベルトが担持したトナーを第１記録媒体または第２記録媒体に転写するように構成される２次転写ローラと、を備えることを特徴とする請求項１ないし１４のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、複数のカートリッジを装置本体に対して着脱可能に備えるタンデム型のカラープリンタが知られている。
【０００３】
そのようなカラープリンタとして、例えば、複数のカートリッジを並べて支持するカートリッジトレイを、装置本体に対してスライド移動可能に保持するカラープリンタが提案されている（例えば、特許文献１参照）。
【先行技術文献】
【特許文献】
【０００４】
【特許文献１】特開２００８−２９２８０４号公報
【発明の概要】
【発明が解決しようとする課題】
【０００５】
本発明の目的は、新しい画像形成装置を提供することにある。
【課題を解決するための手段】
【０００６】
上記目的を達成するために、本発明の画像形成装置は、第１開口を有する装置本体と、第１方向に沿って延びる感光体を有するプロセスユニットと、第１記録媒体を受けるように構成される第１受け部と、第１記録媒体とは異なる第２記録媒体を受けるように構成される第２受け部と、を備えたトレイであって、少なくとも一部が装置本体内に位置し、上下方向および第１方向と交差する第２方向に第１記録媒体を搬送可能な第１位置と、装置本体外の第２位置であって、第２方向の一方に位置する第２位置との間を移動するように構成されるトレイと、を備えている。また、第２受け部は、トレイが第１位置に位置した状態において、第２記録媒体を第２方向に向かって搬送可能、かつ、第１開口よりも第１方向の一方に位置する第３位置と、第３位置よりも第１方向の他方に位置する第４位置との間を移動するように構成される。
【発明の効果】
【０００７】
本発明の画像形成装置では、新しい画像形成装置を提供できる。
【図面の簡単な説明】
【０００８】
【図１】図１Ａは、本発明の画像形成装置を適用したプリンタの中央断面図である。図１Ｂは、本発明の画像形成装置を適用したプリンタの正面図である。
【図２】図２Ａは、図１に示すプリンタの引出部を引き出した状態を示す中央断面図である。図２Ｂは、図１に示すプリンタの引出部を引き出した状態を示す平面図である。
【図３】図１に示すプリンタのトレイを引き出した状態を示す中央断面図である。
【図４】図４Ａは、本発明の第２実施形態のプリンタの中央断面図である。図４Ｂは、本発明の第２実施形態のプリンタの正面図である。
【図５】図５Ａは、図４に示すプリンタの回転部を回転させた状態を示す中央断面図である。図５Ｂは、図４に示すプリンタの回転部を回転させた状態を示す正面図である。
【図６】図４に示すプリンタの回転部を回転させた状態を示す平面図である。
【図７】図４に示すプリンタのトレイを引き出した状態を示す中央断面図である。
【図８】本発明の第３実施形態のプリンタの中央断面図である。
【発明を実施するための形態】
【０００９】
１．プリンタの全体構成
図１Ａおよび図１Ｂに示すように、画像形成装置の一例としてのプリンタ１は、横置きタイプの中間転写型カラーレーザプリンタである。プリンタ１は、装置本体の一例としての本体ケーシング２内に、用紙を給紙するための給紙部３と、給紙された用紙に画像を形成するための画像形成部４と、制御部７０とを備えている。
【００１０】
なお、以下の説明において、プリンタ１の方向に言及するときには、プリンタ１を水平に載置した状態を上下の基準とする。すなわち、図１Ａの紙面上方が上方であり、紙面下方が下方である。また、図１Ａの紙面右方が前方であり、図１Ａの紙面左方が後方である。また、プリンタ１を前方から見たときを左右の基準とする。すなわち、図１Ａの紙面手前が左方であり、紙面奥が右方である。なお、前後方向は第２方向の一例であり、前方は第２方向の一方の一例であり、後方は第２方向の他方の一例である。また、左右方向は第１方向の一例であり、左方は第１方向の一方の一例であり、右方は第１方向の他方の一例である。
（１）本体ケーシング
本体ケーシング２は、給紙部３および画像形成部４を収容する側面視略矩形状のボックス形状を有している。本体ケーシング２は、第２開口の一例としての開口６と、フロントカバー７とを有している。開口６は、本体ケーシング２の第１壁の一例としての前壁５に開口されている。フロントカバー７は、その下端部を支点として、開口６を閉鎖する実線で示す閉鎖位置と、開口６を開放する仮想線で示す開放位置とに揺動可能である。
（２）給紙部
給紙部３は、トレイ８と、給紙ローラ９とを備えている。
【００１１】
トレイ８は、本体ケーシング２内の底部に着脱可能に装着されており、側面視略矩形状であって、上方が開放されたボックス形状を有しており、その内部が第１受け部としての用紙収容室１０として区画されている。
【００１２】
用紙収容室１０は、第１記録媒体の一例としての第１用紙Ｐ１を収容している。すなわち、用紙収容室１０は、第１用紙Ｐ１を受けるように構成されている。
【００１３】
給紙ローラ９は、左右方向に延びる略円柱形状を有しており、トレイ８の後端部上方に位置するようにして、本体ケーシング２に回転可能に支持されている。
（３）画像形成部
画像形成部４は、スキャナユニット１１と、プロセスユニット１２と、転写ユニット１３と、定着ユニット１４とを備えている。
（３−１）スキャナユニット
スキャナユニット１１は、本体ケーシング２内の上部に位置している。スキャナユニット１１は、複数、すなわち４個の後述する感光ドラム１８のそれぞれに向けて、画像データに基づいて、レーザビームをそれぞれ出射し、感光ドラム１８を露光する。
（３−２）プロセスユニット
プロセスユニット１２は、本体ケーシング２内の上下方向略中央であって、かつ、スキャナユニット１１の下方に位置している。詳しくは、プロセスユニット１２は、後端部が上下方向略中央のやや上方に位置し、前端部が上下方向略中央のやや下方に位置し、前方に向かうに従って下方に傾斜するように、本体ケーシング２内の上下方向略中央に位置している。
【００１４】
プロセスユニット１２は、保持部材の一例としてのプロセスフレーム１５と、各色に対応して複数、すなわち４個のカートリッジの一例としてのプロセスカートリッジ１７とを備えている。また、プロセスユニット１２は、開口６を介して本体ケーシング２に対して移動可能であり、詳しくは、略前後方向に沿って、本体ケーシング２の内方に位置する内側位置と、本体ケーシング２の外方に位置する外側位置との間を移動可能である。
【００１５】
プロセスフレーム１５は、側面視略矩形状の枠形状を有している。プロセスフレーム１５は、外側位置のときに、複数のプロセスカートリッジ１７のそれぞれを装着可能および離脱可能となるように構成されている。また、プロセスフレーム１５は、複数のプロセスカートリッジ１７のそれぞれを、略前後方向に互いに間隔を隔てて並んで支持するように構成されている。
【００１６】
たとえば、前方から後方に向けて、複数のプロセスカートリッジ１７には、ブラック、イエロー、マゼンタおよびシアンのトナーがそれぞれ収容されている。
【００１７】
複数のプロセスカートリッジ１７のそれぞれは、感光ドラム１８を備えている。
【００１８】
感光ドラム１８は、左右方向に延びる略円筒形状を有している。また、感光ドラム１８は、プロセスカートリッジ１７内の下端部において、その一部がプロセスカートリッジ１７から下方に露出するように回転可能に支持されている。
【００１９】
なお、プロセスカートリッジ１７には、図示しない現像ローラおよび帯電器が備えられている。
（３−３）転写ユニット
転写ユニット１３は、本体ケーシング２内において、給紙部３の上方、かつ、プロセスユニット１２の下方に配置されている。転写ユニット１３は、駆動ローラ２４と、第１従動ローラ２３と、第２従動ローラ２２と、中間転写ベルト２５と、２次転写ローラ２６とを備えている。
【００２０】
駆動ローラ２４は、左右方向に延びる略円柱形状を有しており、プロセスユニット１２の後方部分において本体ケーシング２に回転可能に支持されている。
【００２１】
第１従動ローラ２３は、左右方向に延びる略円柱形状を有しており、プロセスユニット１２の前方部分の下方において本体ケーシング２に回転可能に支持されている。詳しくは、第１従動ローラ２３は、第１従動ローラ２３の回転中心と第２従動ローラ２４の回転中心とを結ぶ線がプロセスユニット１２の傾斜に沿うように位置している。
【００２２】
第２従動ローラ２２は、左右方向に延びる略円柱形状を有しており、駆動ローラ２４の下方において本体ケーシング２に回転可能に支持されている。
【００２３】
中間転写ベルト２５は、上方部分が各感光ドラム１８に接触するようにして、各感光ドラム１８の下方に位置しており、駆動ローラ２４と、第１従動ローラ２３と、第２従動ローラ２２とに掛け渡されている。
【００２４】
また、中間転写ベルト２５は、駆動ローラ２４、第１従動ローラ２３および第２従動ローラ２２の回転により、上方部分が後方から前方に向かって移動するように周回移動する。
【００２５】
２次転写ローラ２６は、左右方向に延びる略円柱形状を有しており、中間転写ベルト２５を挟んで第２従動ローラ２２の後上方に位置し、本体ケーシング２に回転可能に支持されている。また、２次転写ローラ２６は、中間転写ベルトの後端部分と接触している。
（３−４）定着ユニット
定着ユニット１４は、２次転写ローラ２６の上方に位置し、加熱ローラ２７と、加熱ローラ２７の後上方に並ぶように位置する加圧ローラ２８とを備えている。
２．トレイの詳細
図１Ａおよび図２Ａに示すように、本体ケーシング２は、第１開口の一例としての開口２０を備えている。開口２０は、前壁５に開口されており、開口６の下方に位置している。
【００２６】
給紙部３は、トレイ８と、給紙ローラ９と、第１搬送ローラ４１と、第２搬送ローラ４２とを備えている。
【００２７】
トレイ８は、開口２０を介して、本体ケーシング２内に装着された状態である図１Ａに示す第１位置と、本体ケーシング２の外方であって、第１位置に対して前方に位置する図３に示す第２位置との間を移動可能である。また、トレイ８は、本体部３１と、第２受け部の一例としての引出部３２とを備えている。
【００２８】
図１Ａ、図１Ｂ、図２Ａおよび図２Ｂに示すように、本体部３１は、後板３４と、底板３５と、一対の後側板３６と、第２支点の一例としての後支柱３７と、第３受け部および第２板部の一例としての後上板３８とを備えている。
【００２９】
後板３４は、側面視略縦長矩形状であって、左右方向に延びる平板形状を有している。
【００３０】
底板３５は、側面視略横長矩形状であって、左右方向に延びる平板形状を有しており、その後端縁が後板３４の下端縁と連続している。  
【００３１】
一対の後側板３６は、正面視略縦長矩形状であって、前後方向に延びる平板形状を有しており、一方の後側板３６は、後板３４の左端縁および底板３５の左端縁と連続している。また、他方の後側板３６は、後板３４の右端縁および底板３５の右端縁と連続している。
【００３２】
後板３４と、底板３５と、一対の後側板３６と、後述の前板４７と、後述の一対の前側板４８とにより前述の用紙収容室１０が区画されている。
【００３３】
後支柱３７は、用紙収容室１０の上方部分であって、本体部３１の後方部分に位置しており、左右方向に延びる略円柱形状を有している。また、後支柱３７の一方端部は、左方の後側板３６に固定され、後支柱３７の他方端部は、右方の後側板３６に固定されている。
【００３４】
後上板３８は、側面視略横長矩形状であって、前後方向に延びる平板形状を有している。詳しくは、後上板３８は、用紙収容室１０の上方部分において、後支柱３７の前方から後述の前板４７近傍まで延びていて、後支柱３７に回動可能に取り付けられている。すなわち、後上板３８は、後支柱３７の径方向に延びている。これにより、後上板３８は、後支柱３７の軸線を中心として回動可能である。また、後上板３８は、搬送ローラの一例としての第３従動ローラ３９および第４従動ローラ４０を備えている。
【００３５】
第３従動ローラ３９は、左右方向に延びる略円柱形状を有しており、後上板３８の前方部分において後上板３８に回転可能に支持されている。
【００３６】
第４従動ローラ４０は、左右方向に延びる略円柱形状を有しており、後上板３８の後方部分において後上板３８に回転可能に支持されている。
【００３７】
第１搬送ローラ４１は、左右方向に延びる略円柱形状を有しており、本体ケーシング２の前下方部分において回転可能に支持されている。また、第１搬送ローラ４１は、トレイ８を本体ケーシング２に装着した状態において、第３従動ローラ３９の上方に位置し、第３従動ローラ３９の上端部に接触している。
【００３８】
第２搬送ローラ４２は、左右方向に延びる略円柱形状を有しており、本体ケーシング２の後下方部分において回転可能に支持されている。また、第２搬送ローラ４２は、トレイ８を本体ケーシング２に装着した状態において、第４従動ローラ４０の上方に位置し、第４従動ローラ４０の上端部に接触している。
【００３９】
引出部３２は、本体部３１に対して遠い位置に位置する外側位置と、外側位置よりも後方の内側位置との間を前後方向に沿って移動可能である。また、引出部３２は、把持部４３と、スイッチ４４と、前板４７と、一対の前側板４８と、第１支点の一例としての前支柱４９と、第１板部の一例としての前上板５０とを備えている。引出部３２を前後方向に沿って移動させると、把持部４３と、前板４７と、前側板４８と、前支柱４９と、前上板５０とが一体となって移動する。
【００４０】
把持部４３は、側面視略縦長矩形状であって、左右方向に延びる平板形状を有している。また、把持部４３は、前下方部分に後方に向かって窪む凹部４３ａを有する。
【００４１】
スイッチ４４は、凹部４３ａの左方部分に配置されている。スイッチ４４は、その前面と把持部４３の前面とが略面一となる第１状態４４ａと、第１状態４４ａからさらに後方に移動した状態である第２状態４４ｂとに切換可能である。スイッチ４４は、図示しないばねの付勢力により、常には、第１状態４４ａを維持している。つまりスイッチ４４は、押圧しない限り、第１状態４４ａに位置する。また、スイッチ４４は、第１状態４４ａのときに引出部３２を本体ケーシング２内に位置するように規制し、第２状態４４ｂのときに引出部３２の本体ケーシング２内への規制を解除する。
【００４２】
前板４７は、側面視略縦長矩形状であって、左右方向に延びる平板形状を有しており、把持部４３の後面に固定されている。
【００４３】
一対の前側板４８は、正面視略縦長矩形状であって、前後方向に延びる平板形状を有しており、一方の前側板４８は、前板４７の左端縁と連続している。また、他方の前側板４８は、前板３４の右端縁と連続している。
【００４４】
前支柱４９は、把持部４３の上方部分に位置し、左右方向に延びる略円柱形状を有している。また、前支柱４９は、把持部４３に固定されている。
【００４５】
前上板５０は、側面視略横長矩形状であって、前後方向に延びる平板形状を有しており、後上板３８に対して前方に位置している。詳しくは、前上板５０は、前支柱４９の後方から第３従動ローラ３９および第１搬送ローラ４１の近傍まで延びていて、前支柱４９に回動可能に取り付けられている。すなわち、前上板５０は、前支柱４９の径方向に延びており、その上面は、後述の第２用紙Ｐ２を受けるように構成されている。これにより、前上板５０は、前支柱４９の軸線を中心として回動可能である。また、前上板５０は、スライド溝５１と、一対の規制体５２とを備えている。
【００４６】
スライド溝５１は、前上板５０の前方上面において、下方向かって窪み、かつ、左右方向に延びる形状を有している。
【００４７】
一対の規制体５２のそれぞれは、正面視略Ｌ字形状であって、左右方向の内方部分が下方に向かって窪む形状を有している。また、一対の規制体５２のそれぞれは、その下方部分がスライド溝５１に嵌まっており、かつ、スライド溝５１に沿って左右方向に移動可能である。一方の規制５２と他方の規制体５２とは連動するように構成されており、一方の規制体５２が前上板５０に対して左右方向の外方に移動すると、他方の規制体５２が前上板５０に対して左右方向の外方に移動し、一方の規制体５２が前上板５０に対して左右方向の内方に移動すると、他方の規制体５２が前上板５０に対して左右方向の内方に移動するように構成されている。
３．トレイの第１位置と第２位置との間の移動ならびに前上板および後上板の移動
次に、トレイ８の第１位置から第２位置への移動について説明をする。
【００４８】
なお、以下のトレイ８の各構成の動作の説明においては、ユーザの作業によりその動作が行われるものとする。
【００４９】
まず、トレイ８は、図１Ａおよび図１Ｂに示す状態においては、第１用紙Ｐ１を搬送可能な第１位置に位置している。
【００５０】
トレイ８は、後方に向かってスライド移動し、図３に示すように、第２位置に位置する。
【００５１】
この状態において、後上板３８は、後支柱３７を中心として後方に回転移動する。また、前上板５０は、前支柱４９を中心として前方に回転する。これにより、用紙収容室１０は、露出され、容易に第１用紙Ｐ１を収容させることができる。
【００５２】
次に、トレイ８の第２位置から第１位置への移動について説明をする。
【００５３】
後上板３８および前上板５０は、それぞれ回転し、用紙収容室１０の上方において前後方向に延びる面上に位置する。
【００５４】
この状態から、トレイ８は、後方に向かってスライド移動し、図１Ａおよび図１Ｂに示すように、トレイ８全体が本体ケーシング２内に位置する。
【００５５】
なお、トレイ８が第２位置の状態で、引出部３２が外側位置に位置すると、用紙収容室１０が前後方向において拡大し、第１用紙Ｐ１を収容しやすい状態となる。また、引出部３２が外側位置に位置しているため、トレイ８は、第１用紙よりも搬送方向に長い用紙を収容することができる。
４．引出部３２の内側位置と外側位置との間の移動
次に、トレイ８の引出部３２の内側位置から外側位置の移動について説明をする。
【００５６】
まず、引出部３２は、図１Ａおよび図１Ｂに示す状態では、内側位置に位置している。このとき、前板４７は、底板３５と接触している。前上板５０は、本体ケーシング２内である第４位置に位置しており、用紙収容室１０に対して相対的に上方に位置している。また、前上板５０は、本体ケーシング２を上下方向に投影したときに、前壁５に対して後方に位置している。すなわち、前上板５０は、開口２０の後方に位置している。このとき、把持部４３は、開口２０を閉鎖している。
【００５７】
そして、スイッチ４４は、第１状態４４ａから第２状態４４ｂに位置する。これにより、引出部３２は、本体ケーシング２内への規制が解除され、スライド移動可能となる。そして、引出部３２は、図２Ａおよび図２Ｂに示すように、本体部３１が本体ケーシング２内に位置した状態で外側位置に位置する。これにより、開口２０が開口される。このとき、前上板５０は、本体ケーシング２の外方であって、第４位置よりも前方に位置する第３位置に位置している。
【００５８】
なお、前上板５０が第３位置に位置している状態において、規制体５２は、左右方向に移動に移動可能となり、第２用紙Ｐ２の左右方向の移動を規制することができる。
【００５９】
次に、引出部３２の外側位置から内側位置の移動について説明をする。
【００６０】
引出部３２は、外側位置から内側位置へ移動する。すると、把持部４３は、開口２０を閉鎖する。スイッチ４４は、第２状態４４ｂから第１状態４４ａに位置する。また、前板４７は、底板３５と接触する。
５．プリンタの動作
次に、第１用紙のプリンタ動作について説明をする。
【００６１】
図１Ａおよび図１Ｂに示すように、制御部７０は、トレイ８の用紙収容室１０に収容されている第１用紙Ｐ１を、後端縁が搬送方向下流側端縁となるようにして上方へ向かうように搬送するように給紙ローラ９を制御する。そして、制御部７０は、第１用紙Ｐ１を搬送ベルト２５と２次転写ローラ２６との間に向けて搬送するように図示しない搬送ローラを制御する。
【００６２】
プロセスカートリッジ１７内のトナーは、図示しない現像ローラに供給されて正極性に摩耗帯電されつつ、現像ローラの回転に伴って、一定厚さの薄層として現像ローラの表面に担持される。
【００６３】
一方、感光ドラム１８の表面は、感光ドラム１８の回転に伴って、図示しない帯電器により一様に正帯電された後、スキャナユニット１１からのレーザビームの高速走査により露光される。これにより、第１用紙Ｐ１に形成すべき画像に対応した静電潜像が感光ドラム１８の表面に形成される。
【００６４】
現像ローラの表面に担持され、かつ、正帯電されているトナーは、感光ドラム１８がさらに回転すると、感光ドラム１８の表面に形成されている静電潜像に供給される。これにより、感光ドラム１８の表面には、反転現像によるトナー像が担持される。
【００６５】
感光ドラム１８の表面に担持されたトナーは、後方から前方に移動する中間転写ベルト２５の上方部分に順次、１次転写される。これにより、中間転写ベルト２５には、トナー像が形成される。
【００６６】
そして、制御部７０は、トレイ８から給紙された第１用紙Ｐ１が中間転写ベルト２５と２次転写ローラ２６との間を通過するときに、中間転写ベルト２５に形成されたトナー像が第１用紙Ｐ１に２次転写するように２次転写ローラを制御する。
【００６７】
そして、制御部７０は、第１用紙Ｐ１が加熱ローラ２７と加圧ローラ２８との間を通過するときに、第１用紙Ｐ１に転写されたトナー像を第１用紙Ｐ１に熱定着するように加熱ローラ２７および加圧ローラ２８を制御する。
【００６８】
制御部７０は、定着ユニット１４においてトナー像が熱定着された第１用紙Ｐ１を、上方に向かうに従って前方にＵターンするように搬送し、排紙トレイ３０上に排紙するように各排紙ローラ２９を制御する。
【００６９】
次に、第２用紙のプリンタ動作について説明をする。
【００７０】
図２Ａおよび図２Ｂに示すように、制御部７０は、前上板５０上に配置された第２用紙Ｐ２を開口２０を介して本体ケーシング２内に搬送するように制御する。
【００７１】
制御部７０は、第２用紙Ｐ２を後端縁が搬送方向下流側端縁となるようにして、搬送ベルト２５と２次転写ローラ２６との間に向けて搬送するように、第１搬送ローラ４１および第２搬送ローラ４２を制御する。
【００７２】
その後は、前述した第１用紙Ｐ１への画像形成の場合と同様に、制御部７０は、第２用紙Ｐ２が中間転写ベルト２５と２次転写ローラ２６との間を通過するときに、中間転写ベルト２５に形成されたトナー像が第２用紙Ｐ２に２次転写するように制御する。また、制御部７０は、第２用紙Ｐ２に転写されたトナー像が定着ユニット１４によって熱定着され、各排紙ローラ２９間を通過して、第２用紙Ｐ２を排紙トレイ３０上に排紙するように制御する。
６．作用効果
（１）このプリンタ１によれば、図１Ａ、図１Ｂ、図２Ａおよび図２Ｂに示すように、前上板５０は、トレイ８が第１位置に位置した状態において、第３位置と第４位置との間を移動する構成であるため、トレイ８を移動させずに前上板５０を第３位置に移動して第２用紙Ｐ２を受けることができ、その結果、第２用紙Ｐ２を円滑に受けることができる。
【００７３】
また、前上板５０は、トレイ８に備えられているため、フロントカバー７に備えられる構成に比べて、第２用紙Ｐ２を安定的に受けることができる。
（２）また、図２Ａに示すように、前上板５０は、第３位置に位置したときに用紙収容室１０の上方に位置しているため、ユーザが前上板５０を容易に認識することができ、さらに、ユーザが第２用紙Ｐ２を前上板５０に載置しやすく、利便性を向上させることができる。
（３）また、図１Ａ、図１Ｂ、図２Ａ、図２Ｂおよび図３に示すように、ユーザは、トレイ８を第１位置と第２位置との間を移動させる際、前上板５０を第３位置と第４位置との間を移動させる際およびプロセスユニット１２を本体ケーシング２に着脱させる際に、プリンタ１に対して前方から作業することができる。すなわち、プリンタ１に対して常に前方から作業することができるため、利便性を一層向上させることができる。  
（４）また、図１Ａ、図１Ｂ、図２Ａおよび図２Ｂに示すように、前上板５０は、引出部３２が前後方向に沿ってスライド移動することで、第３位置と第４位置との間を円滑に移動することができる。
（５）また、図２Ａおよび図２Ｂに示すように、前上板５０は、第３位置に位置した状態において、プリンタ１に対して作業するユーザの近くに位置するため、利便性を一層向上させることができる。
（６）また、図２Ａに示すように、第１搬送ローラ４１、第２搬送ローラ４２、第３従動ローラ３９および第４従動ローラ４０は、前上板５０で受けた第２用紙Ｐ２を確実に転写ユニット１３に向けて搬送することができる。
（７）また、図２Ａに示すように、後上板３８は、前上板５０で受けて転写ユニット１３に向けて搬送する第２用紙Ｐ２を確実に受けることできる。  
（８）また、図３に示すように、前上板５０は、前支柱４９を中心として回転し、後上板３８は、後支柱３７を中心として回転する。これにより、前上板５０の後方部分および後上板３８の前方部分は、用紙収容室１０から離間する。その結果、用紙収容室１０は、第１用紙Ｐ１を円滑に受けることができる。
（９）また、図１Ａおよび図１Ｂに示すように、前上板５０は、スイッチ４４の切り替えにより、第３位置または第４位置に容易に位置することができる。
７．第２実施形態
以下に、第２実施形態について説明する。なお、図４以降の各図面において、既に説明した部材に関しては、同一の参照符号を付し、その説明を省略する。
【００７４】
第１実施形態では、トレイ８は、本体部３１と引出部３２とを備え、把持部４３を含む引出部３２が本体部３１に対してスライド移動するように構成されている。
【００７５】
対して、第２実施形態では、図４Ａおよび図４Ｂに示すように、トレイ８の把持部４３は、第２受け部の一例としての回転部６０を、その前端部に保持している。
【００７６】
回転部６０は、板部の一例としての回転板６０ａと、第１支点の一例としての一対の回転支柱６０ｂと、一対の規制体６１とを備えている。
【００７７】
回転板６０ａは、側面視略縦長矩形状であって、左右方向に延びる板形状を有しており、回転板６０ａは、第３位置と第４位置との間を移動するように構成されている。回転板６０ａは、スライド溝６０ｃと、開口６０ｄと、を有している。スライド溝６０ｃは、回転板６０の前面の中央部において、後方に向かって窪み、かつ、左右方向に延びる形状を有している。開口６０ｄは、回転板６０ａの下端中央部において、上方に向かって窪む形状を有している。前後方向に投影したときに、開口６０ｄと把持部４３の下端部が重なっており、開口６０ｄの左方部分と、スイッチ４４とが重なっている。
【００７８】
一対の回転支柱６０ｂのそれぞれは、回転板６０ａの上方部分であって、左右方向両端縁から左右方向の外方に突出している。また。回転支柱６０ｂは、把持部４３に回動可能に保持されている。これにより、回転部６０は、回転支柱６０ｂを中心として、その下端縁を前方に向かわせる方向または後方に向かわせる方向に回転可能である。すなわち、回転部６０は、回転支柱６０ｂの軸線を中心として回転するように構成されている。また、回転板６０ａは、回転支柱６０ｂの径方向に延びている。
【００７９】
スイッチ４４は、第１状態４４ａのときに回転部６０を把持部４３に接触するように、すなわち、回転板６０ａが上下方向に沿うように規制し、第２状態４４ｂのときに当該規制を解除する。
【００８０】
一対の規制体６１のそれぞれは、正面視略矩形状であって、左右方向の内方部分が後方方に向かって窪む形状を有している。また、一対の規制体６１のそれぞれは、その後方部分がスライド溝６０ｃに嵌まっており、かつ、スライド溝６０ｃに沿って左右方向に移動可能である。一方の規制体６１は、他方の規制体６１と連動するように構成されている。具体的には、一方の規制体６１が回転板６０ａに対して左右方向の外方に移動すると、他方の規制体６１が回転板６０ａに対して左右方向の外方に移動し、一方の規制体６１が回転板６０ａに対して左右方向の内方に移動すると、他方の規制体６１が回転板６０ａに対して左右方向の内方に移動するように構成されている。
８．回転部の第４位置と第３位置との間の移動およびプリンタの動作
次に、回転部６０の第４位置から第３位置への移動について説明をする。
【００８１】
なお、以下のトレイ８の各構成の動作の説明においては、ユーザの作業によりその動作が行われるものとする。
【００８２】
まず、回転部６０は、図４Ａおよび図４Ｂに示す状態では、第４位置に位置している。この状態では、回転板６０ａは、把持部４３の前面に沿う状態となっており、開口２０は、回転板６０ａの上方部分によって閉鎖されている。
【００８３】
すなわち、スイッチ４４は、第１状態４４ａから第２状態４４ｂに位置する。これにより、回転板６０ａは、本体ケーシング内への規制が解除され、回転移動可能となる。その後、回転板６０ａは、図５Ａ、図５Ｂおよび図６に示すように、前後方向に沿う面上に位置する。このとき、回転部６０は、第４位置よりも上方である第３位置に位置しており、開口２０を開口する。
【００８４】
次に、回転部６０の第３位置から第４位置への移動について説明をする。
【００８５】
回転部６０は、第３位置から第４位置へ移動する。すると、回転部６０は、開口２０を閉鎖する。そして、スイッチ４４は、第２状態４４ｂから第１状態４４ａに位置する。これにより、回転板６０ａは、本体ケーシング２内に規制される。そして、回転板６０ａは、把持部４３の前面に沿う状態となる。
【００８６】
次に、回転部６０が第３位置の状態におけるプリンタ１の動作について説明をする。
【００８７】
制御部７０は、回転部６０が第３位置の状態において、回転部６０上に配置された第３用紙Ｐ３を開口２０を介して本体ケーシング２内に搬送するように第１搬送ローラ４１および第２搬送ローラ４２を制御する。その後は、制御部７０は、第３用紙Ｐ３を、前述の第２用紙Ｐ２の搬送の場合と同様に、転写ユニット１３に向けて搬送し、排紙トレイ３０上に排紙するように制御する。    
９．トレイの第１位置と第２位置との間の移動および後上板３８の移動
次に、第２実施形態における、トレイ８の第１位置から第２位置への移動について説明する。
【００８８】
トレイ８は、図４Ａおよび図４Ｂに示す状態においては、本体ケーシング２内であって、第１用紙Ｐ１を搬送可能な第１位置に位置している。
【００８９】
この状態から、トレイ８は、後方に向かってスライド移動し、図７に示すように、本体ケーシング２の外方であって、第１位置の前方である第２位置に位置する。
【００９０】
次に、第２実施形態における後上板３８の移動について説明する。
【００９１】
この状態において、後上板３８は、後支柱３７を中心として後方に回転すると、用紙収容室１０が第１用紙Ｐ１を収容可能な状態となる。その後、後上板３８は、後支柱３７を中心として回転して用紙収容室１０の上方において前後方向に延びる面上に位置する。
【００９２】
この状態から、トレイ８は、後方に向かってスライド移動し、図４Ａおよび図４Ｂに示すように、トレイ８全体が本体ケーシング２内に位置する。
１０．第２実施形態の作用効果
（１）第２実施形態のプリンタ１によれば、図５Ａおよび図５Ｂに示すように、回転部６０が回転動作により第３位置と第４位置との間を移動する構成であるため、回転部６０の第３位置と第４位置との間の移動を円滑に行うことができる。
（２）また、具体的には、図５Ａおよび図５Ｂに示すように、回転板６０ａを、回転支柱６０ｂを中心として回転させることで、回転部６０を第３位置と第４位置との間を円滑に移動させることができる。
（３）また、具体的には、図５Ａおよび図５Ｂに示すように、回転板６０ａを、回転支柱６０ｂを中心として下方から前方に向けて回転させることで、回転部６０を第３位置と第４位置との間を円滑に移動させることができる。
１１．第３実施形態
上記の第２実施形態では、後上板３８は、後支柱３７を中心として回動可能であるとしたが、さらに、図８に示すように、後上板３８は、後支柱３７に対して着脱可能であってもよい。
【００９３】
このような構成によれば、後上板３８を取り外すことで用紙収容室１０が開放され、この状態で、第１用紙Ｐ１を円滑に受けることができる。
【符号の説明】
【００９４】
１      プリンタ
２      本体ケーシング
５      前壁
６      開口
８      トレイ
９      給紙ローラ
１０    用紙収容室
１２    プロセスユニット
１３    転写ユニット
１５    プロセスフレーム
１７    プロセスカートリッジ
１８    感光ドラム
２０    開口
３２    引出部
３７    後支柱
３８    後上板
４１    第１搬送ローラ
４２    第２搬送ローラ
４４    スイッチ
４４ａ  第１状態
４４ｂ  第２状態
４９    前支柱
５０    前上板
６０    回転部
６０ａ  回転板
６０ｂ  回転支柱
Ｐ１    第１用紙
Ｐ２    第２用紙
Ｐ３    第３用紙
【図１】
2014235290.tif 000003
【図２】
2014235290.tif 000004
【図３】
2014235290.tif 000005
【図４】
2014235290.tif 000006
【図５】
2014235290.tif 000007
【図６】
2014235290.tif 000008
【図７】
2014235290.tif 000009
【図８】
2014235290.tif 000010
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
第１開口を有する装置本体と、
第１方向に沿って延びる感光体を有するプロセスユニットと、
第１記録媒体を受けるように構成される第１受け部と、第１記録媒体とは異なる第２記録媒体を受けるように構成される第２受け部と、を備えたトレイであって、少なくとも一部が前記装置本体内に位置し、上下方向および前記第１方向と交差する第２方向に第１記録媒体を搬送可能な第１位置と、前記装置本体外の第２位置であって、前記第２方向の一方に位置する第２位置との間を移動するように構成されるトレイと、を備え、
前記第２受け部は、
前記トレイが前記第１位置に位置した状態において、第２記録媒体を前記第２方向に向かって搬送可能、かつ、前記第１開口よりも前記第１方向の一方に位置する第３位置と、前記第３位置よりも前記第１方向の他方に位置する第４位置との間を移動するように構成されることを特徴とする画像形成装置。
【請求項２】
前記第２受け部は、前記第３位置に位置したときに前記第１受け部に対して相対的に上方に位置することを特徴とする請求項１に記載の画像形成装置。
【請求項３】
前記第２受け部は、前記第３位置と前記第４位置との間を移動するときに、前記第２方向に沿ってスライド移動するように構成されることを特徴とする請求項１または２に記載の画像形成装置。
【請求項４】
前記第２受け部は、前記第３位置と前記第４位置との間を移動するときに、前記第１方向に延びる軸線を中心として、回転するように構成されることを特徴とする請求項１または２に記載の画像形成装置。
【請求項５】
前記第２受け部は、
前記第１方向に延びる第１支点と、
前記第１支点を中心として回動可能であり、前記第１支点から径方向に延びる板形状を有する板部と、を備えていることを特徴とする請求項４に記載の画像形成装置。
【請求項６】
前記板部は、
前記第２受け部が前記第３位置に位置した状態において、前記第２方向に沿って位置し、
前記第２受け部が前記第４位置に位置した状態において、前記上下方向に沿って位置することを特徴とする請求項５に記載の画像形成装置。
【請求項７】
前記装置本体は、前記第２方向の一方に位置する第１壁を備え、
前記第２受け部は、前記第３位置に位置した状態において、前記装置本体を前記上下方向に投影したときに、前記第１壁に対して前記第２方向の一方に位置することを特徴とする請求項１ないし６のいずれか一項に記載の画像形成装置。
【請求項８】
前記トレイは、前記第２受け部で受けた第２記録媒体を搬送するように構成された搬送ローラを備えることを特徴とする請求項１ないし７のいずれか一項に記載の画像形成装置。
【請求項９】
前記トレイは、前記第２受け部に対して前記第２方向に沿って他方に位置し、前記第２受け部から搬送された第２記録媒体を受けるように構成されている第３受け部をさらに備えることを特徴とする請求項１ないし８のいずれか一項に記載の画像形成装置。
【請求項１０】
前記第３受け部は、前記トレイに着脱するように構成されることを特徴とする請求項９に記載の画像形成装置。
【請求項１１】
前記第２受け部は、
前記トレイの前記第２方向の一方に配置され、前記第１方向に延びる第１支点と、
前記第１支点を中心として回動可能であり、前記第１支点から径方向に延びる板形状を有する第１板部と、を備え、
前記第３受け部は、
前記トレイの前記第２方向の他方に配置され、前記第１方向に延びる第２支点と、
前記第２支点を中心として回動可能であり、前記第２支点から径方向に延びる板形状を有する第２板部と、を備えることを特徴とする請求項９に記載の画像形成装置。
【請求項１２】
前記装置本体は、前記第２受け部が前記第４位置に位置する第１状態と、前記第２受け部が前記第３位置に位置する第２状態とに切換可能なスイッチをさらに備えることを特徴とする請求項１ないし１１のいずれか一項に記載の画像形成装置。
【請求項１３】
前記装置本体は、前記第２方向の一方に設けられた第２開口を有し、
前記プロセスユニットは、前記第２開口を介して前記装置本体内と前記装置本体外との間を移動するように構成されていることを特徴とする請求項１ないし１２のいずれか一項に記載の画像形成装置。
【請求項１４】
前記プロセスユニットは、
複数のカートリッジと、
前記装置本体に設けられた第２開口を介して前記装置本体内と前記装置本体外との間を移動可能な移動部材であって、前記移動部材が前記装置本体外のときに、前記複数のカートリッジを装着可能な移動部材と、を備えることを特徴とする請求項１３に記載の画像形成装置。
【請求項１５】
第１記録媒体および第２記録媒体に画像を転写するように構成される転写ユニットを備え、
前記転写ユニットは、
トナーを担持するように構成されるベルトと、
前記ベルトが担持したトナーを第１記録媒体または第２記録媒体に転写するように構成される２次転写ローラと、を備えることを特徴とする請求項１ないし１４のいずれか一項に記載の画像形成装置。